(57)【要約】【課題】短いメンテナンス時間で迅速且つ確実にワイピング面のインク除去が可能なインクジェット記録装置を提供する。【解決手段】本発明に係るインクジェット記録装置１は、インクジェットヘッド２０のノズル面２４のワイピングを行う一つもしくは複数のワイパー３０と、ワイパー３０の洗浄を行う洗浄機構４０とを備え、洗浄機構４０は、洗浄液Ｌによって湿潤させた状態でワイパー３０のワイピング面の拭取を行う拭取部材４２と、拭取部材４２に洗浄液Ｌを供給する洗浄液供給手段４４とを有し、拭取部材４２は、一つもしくは複数のワイパー３０において所定方向を向くワイピング面に当接する一の拭取部４２ａと、所定方向と逆方向を向くワイピング面に当接する他の拭取部４２ｂとを有し、拭取部材４２もしくはワイパー３０を移動させて前記当接を行わせる移動機構３８をさらに備える。【選択図】図３
2015085618.tif 000002
【特許請求の範囲】
【請求項１】
インクの液滴をノズルから吐出して記録を行うインクジェットヘッドを備えるインクジェット記録装置において、
前記インクジェットヘッドのノズル面のワイピングを行う一つもしくは複数のワイパーと、
前記ワイパーの洗浄を行う洗浄機構と、を備え、
前記洗浄機構は、洗浄液によって湿潤させた状態で前記ワイパーのワイピング面の拭取を行う拭取部材と、該拭取部材に該洗浄液を供給する洗浄液供給手段と、を有し、
前記拭取部材は、前記一つもしくは複数のワイパーにおいて所定方向を向くワイピング面に当接する一の拭取部と、前記一つもしくは複数のワイパーにおいて前記所定方向と逆方向を向くワイピング面に当接する他の拭取部とを有し、
前記拭取部材もしくは前記ワイパーを移動させて前記当接を行わせる移動機構をさらに備えること
を特徴とするインクジェット記録装置。
【請求項２】
前記拭取部材は、第１ローラ部材の外周面に固定された円筒状に形成されていること
を特徴とする請求項１記載のインクジェット記録装置。
【請求項３】
前記拭取部材は、繰り出しローラから繰り出されて、巻き取りローラに巻き取られるシート状に形成されていること
を特徴とする請求項１記載のインクジェット記録装置。
【請求項４】
前記拭取部材を所定位置に支持するプラテンを備え、
相互に対向する前記プラテンの支持面と、前記ワイパーのワイピング面とが所定の角度を成して配設されていること
を特徴とする請求項３記載のインクジェット記録装置。
【請求項５】
前記洗浄液供給手段は、円柱状もしくは円筒状の第２ローラ部材を有し、
前記第２ローラ部材は、外周面に前記洗浄液を保持可能な溝部を有すると共に、外周面が前記拭取部材と当接可能なように配設されていること
を特徴とする請求項２〜４のいずれか一項に記載のインクジェット記録装置。
【請求項６】
所定回数もしくは所定時間の洗浄が行われた時点で、前記拭取部材を移動させて前記拭取部の位置を変更する制御手段を備えること
を特徴とする請求項１〜５のいずれか一項に記載のインクジェット記録装置。
【発明の詳細な説明】
【技術分野】
【０００１】
本発明は、インクジェット記録装置に関し、さらに詳細には、記録媒体上を走査するキャリッジに搭載されたインクジェットヘッド（記録ヘッド）から該記録媒体に液体（インク）を吐出して記録を行うインクジェット記録装置に関する。
【背景技術】
【０００２】
インクジェットヘッドのノズルからインクを吐出して、記録媒体に所望の文字や図形を記録（印刷）するインクジェット記録装置（インクジェットプリンタ）について、従来より種々の構成のものが知られている。
【０００３】
一般に、インクジェット記録装置では、印刷加工が行われると、次第にインクジェットヘッドのノズル面に吐出されたインクが付着することがあり、また、付着したインク同士が合体してインク滴が形成されることがある。さらに、このインク滴は徐々に硬化して、例えばゲル状の増粘インクとなってしまう場合もある。このように、ノズル面に増粘インクやインク滴等が付着した状態のままで継続して印刷を行うと、インク滴が記録媒体に滴下したり、ノズルの目詰まりを生じさせたりして印刷品質を低下させてしまう課題が生じる。そこで、従来より、インクジェットヘッドのノズル面をゴム材料等からなるワイパーでワイピングを行ってクリーニングをする技術が知られている。
【０００４】
しかし、ワイピングを行うと、ワイパーにインクが付着した状態となる。さらに、インクジェットヘッドのノズル面の場合と同様に、ワイパーに付着したインクは乾燥等によって徐々に硬化して、ゲル状の増粘インクとなってしまう場合がある。したがって、そのままの状態で継続してワイピングを行うと、ワイパーに付着したインクや増粘インクがノズルに入り込んで目詰まりを生じさせたり、インクの混色を生じさせたり、吐出時の飛行曲がりを生じさせる原因となってしまうという課題があった。
【０００５】
そのような課題を解決する手段として、例えば、多孔質体の吸収部材を備えてワイパーに付着したインクを吸収する構成を備えるインクジェット記録装置が開示されている（特許文献１参照）。
【先行技術文献】
【特許文献】
【０００６】
【特許文献１】特開２０１０−２２８２１４号公報
【発明の概要】
【発明が解決しようとする課題】
【０００７】
しかし、特許文献１に例示される構成においては、同一の吸収部材の同一箇所によってワイパーのワイピング面のインクを除去する構成であるため、摩耗が激しいという課題が生じ、また特に、ワイパーの複数化等によってワイピング面が多くなるインクジェット記録装置においては、吸収部材による吸収が追い付かなくなってしまう課題や、一旦、吸収部材に付着したインクが再度ワイパーに付着してしまう課題等が生じ得る。また同文献１の構成のように、吸収部材の内部にインクを拡散させる作用を得るには時間を要するため、その工程に必要となる時間（メンテナンス時間）が増大し、印刷のタクトタイムが大きくなってしまう等の課題も生じ得る。
【０００８】
本発明は、上記課題に鑑みてなされたものであり、ワイパーにおける複数のワイピング面に対応した複数の拭取部を有する拭取部材を備えて、短いメンテナンス時間で迅速且つ確実にワイピング面のインク除去が可能であると共に、当該ワイピング面へのインクの再付着を防止することが可能であり、それによってインクジェットヘッドのノズルの目詰まり、インクの混色、吐出時の飛行曲がり等を防止して、高画質の記録が可能なインクジェット記録装置を提供することを目的とする。
【課題を解決するための手段】
【０００９】
一実施形態として、以下に開示するような解決手段により、前記課題を解決する。
【００１０】
開示のインクジェット記録装置は、インクの液滴をノズルから吐出して記録を行うインクジェットヘッドを備えるインクジェット記録装置において、前記インクジェットヘッドのノズル面のワイピングを行う一つもしくは複数のワイパーと、前記ワイパーの洗浄を行う洗浄機構と、を備え、前記洗浄機構は、洗浄液によって湿潤させた状態で前記ワイパーのワイピング面の拭取を行う拭取部材と、該拭取部材に該洗浄液を供給する洗浄液供給手段と、を有し、前記拭取部材は、前記一つもしくは複数のワイパーにおいて所定方向を向くワイピング面に当接する一の拭取部と、前記一つもしくは複数のワイパーにおいて前記所定方向と逆方向を向くワイピング面に当接する他の拭取部とを有し、前記拭取部材もしくは前記ワイパーを移動させて前記当接を行わせる移動機構をさらに備えることを特徴とする。これによれば、複数のワイピング面に対応した複数の拭取部を有する拭取部材を備えて、ワイパーのワイピング面の洗浄を行うことが可能となり、迅速且つ確実にワイピング面のインク除去ができると共に、当該ワイピング面へのインクの再付着を防止することができる。したがって、ワイパーのワイピング面に付着したインクが乾燥して増粘インク化してしまうことが防止できるため、当該ワイパーによってインクジェットヘッドのノズル面に付着した増粘インクやインク滴を効果的に除去することができ、インクジェットヘッドのノズルの目詰まり、インクの混色、吐出時の飛行曲がり等を防止することができる。さらに、各ワイピング面に対応した複数の拭取部によってワイピング面の洗浄を行うため、洗浄時間、特に拭取部におけるインクの拭取および拭取を行ったインクの拭取部内部への拡散に要する時間を大幅に短縮することができるため、その工程に必要となる時間（メンテナンス時間）を短くすることができ、印刷のタクトタイムを小さくすることができるという顕著な効果が奏される。
【００１１】
また、本発明において、拭取部材は、第１ローラ部材の外周面に固定された円筒状に形成されていることが好ましい。これによれば、第１ローラ部材に対して簡易な取付構造が実現でき、拭取部材の交換作業を容易化することができる。また、第１ローラ部材を移動（回転）させることにより、拭取部の位置を変更できるため、同一部材の同一箇所によってワイパーのワイピング面のインクを除去する構成と比較して、拭取部材の摩耗量を低減して寿命を長くすることができ、交換周期を長くすることができる。
【００１２】
また、本発明において、前記拭取部材は、繰り出しローラから繰り出されて、巻き取りローラに巻き取られるシート状に形成されていることが好ましい。これによれば、同一部材の同一箇所によってワイパーのワイピング面のインクを除去する構成と比較して、拭取部材の摩耗量を低減して寿命を長くすることができる。また、長尺のシート状部材を用いることにより長期に渡って拭取部材による拭取効果を持続させることが可能となるため、拭取部材の交換周期を大幅に長くすることが可能となり、交換作業の手間が大幅に軽減される効果が得られる。
【００１３】
また、本発明において、前記拭取部材を所定位置に支持するプラテンを備え、相互に対向する前記プラテンの支持面と、前記ワイパーのワイピング面とが所定の角度を成して配設されていることが好ましい。これによれば、拭取部材の拭取部を、ワイパーのワイピング面に対して角度を成した状態で設置することができる。したがって、ワイピング面が拭取部に当接する際に、ワイピング面の右端部から左端部にかけて（あるいはその逆に）順次、当接する作用が得られ、その結果、当該ワイピング面に付着したインクを拭取部で拭い取るように除去しながら洗浄する効果をより一層、高めることが可能となる。
【００１４】
また、本発明において、前記洗浄液供給手段は、円柱状もしくは円筒状の第２ローラ部材を有し、前記第２ローラ部材は、外周面に前記洗浄液を保持可能な溝部を有すると共に、外周面が前記拭取部材と当接可能なように配設されていることが好ましい。これによれば、円筒状もしくはシート状の拭取部材、または第２ローラ部材のいずれか一方を回転駆動することによって、両者を同時回転させることができるため、両者の回転によって、第２ローラ部材の外周面の溝部に洗浄液が保持されて、両者の当接時に当該溝部から拭取部材へ洗浄液が供給される構造が実現できる。
【００１５】
また、本発明において、所定回数もしくは所定時間の洗浄が行われた時点で、前記拭取部材を移動させて前記拭取部の位置を変更する制御手段を備えることが好ましい。これによれば、拭取部の位置を所定のタイミングで変更することができるため、拭取部材の同一箇所のみが摩耗してしまうことを防止することができる。したがって、拭取部材の寿命を長くすることができ、交換周期を長くすることができる。
【発明の効果】
【００１６】
開示のインクジェット記録装置によれば、短いメンテナンス時間で迅速且つ確実にワイピング面のインク除去が可能となり、また、当該ワイピング面へのインクの再付着を防止することが可能となる。これにより、インクジェットヘッドのノズルの目詰まり、インクの混色、吐出時の飛行曲がり等を防止して、高画質の記録が可能となる。
【図面の簡単な説明】
【００１７】
【図１】本発明の第一の実施形態に係るインクジェット記録装置の例を示す概略図（平面図）である。
【図２】図１に示すインクジェット記録装置の概略図（正面図）である。
【図３】図１に示すインクジェット記録装置のワイパーおよび洗浄機構の例を示す概略図である。
【図４】図１に示すインクジェット記録装置のワイパーの摺動動作を説明するための概略図である。
【図５】本発明の第二の実施形態に係るインクジェット記録装置のワイパーおよび洗浄機構の例を示す概略図である。
【図６】本発明の第三の実施形態に係るインクジェット記録装置のワイパーおよび洗浄機構の例を示す概略図である。
【図７】本発明の第四の実施形態に係るインクジェット記録装置のワイパーおよび洗浄機構の例を示す概略図である。
【図８】図７に示すインクジェット記録装置の変形例を示す概略図である。
【発明を実施するための形態】
【００１８】
（第一の実施形態）
以下、図面を参照して、本発明の第一の実施形態について詳しく説明する。
図１に、本実施形態に係るインクジェット記録装置１の概略図（平面図）を示す。また、図２に、当該インクジェット記録装置１の概略図（正面図）を示す。説明の便宜上、各図において矢印方向でインクジェット記録装置１の前後、左右、および上下方向を示す。
なお、実施形態を説明するための全図において、同一の機能を有する部材には同一の符号を付し、その繰り返しの説明は省略する場合がある。
【００１９】
インクジェット記録装置１は、紙、布、樹脂シート（例えば、塩化ビニル、ポリエステル等からなる）等の記録媒体Ｍの記録面（印刷面）に対してインクジェットヘッドのノズルから液体（ここでは、インク）を吐出することにより文字や図形等の印刷加工を行う装置である。
【００２０】
ここで、本実施形態においては、インクとして水性昇華転写インクを用いる場合を例に挙げる。ただし、これに限定されるものではなく、本発明は、ラテックスインク、ソルベントインク、ＵＶインク等のインクを用いる場合にも同様に適用可能である。
【００２１】
本実施形態に係るインクジェット記録装置１は、記録媒体Ｍが支持されるプラテン１０（第１プラテン）の上方において、記録媒体Ｍの搬送方向（図１における前方向）と直交する方向（図１における左右方向）にガイドレール１２が配設されており、このガイドレール１２に、キャリッジ１４が移動可能に保持されている。このため、キャリッジ１４は、ガイドレール１２に案内されて左右方向に移動可能となっている。なお、キャリッジ１４は、いずれも図示しないワイヤーやボールなどを用いた牽引機構に連結されており、モータなどの駆動源を駆動制御することで、左右方向に移動することが可能となっている。
【００２２】
このキャリッジ１４には、インク液滴を吐出するインクジェットヘッド（記録ヘッド）２０が搭載されたヘッドユニット１８が固定されている。
【００２３】
インクジェットヘッド２０は、例えばマゼンタ、イエロー、シアンおよびブラックの色毎に構成されており、記録媒体Ｍ側（すなわちプラテン１０側）の面に、インク液滴を吐出する複数のノズル２３が配設されたノズル面２４が形成されている（図２、図４参照）。なお、図４は後述するワイパー３０の摺動動作を説明するための概略図である。
【００２４】
上記の構成によって、キャリッジ１４を左右方向に移動させることで、ヘッドユニット１８を左右方向に移動させることが可能となっている。そして、キャリッジ１４を左右方向に移動させる際に、ヘッドユニット１８からインク液滴を吐出して記録媒体Ｍに着弾させることによって、印刷を行うことができる。
【００２５】
また、本実施形態においては、ヘッドユニット１８を一方側（図１、図２では右側）の端部に移動させたときのインクジェットヘッド２０の下方に、インクジェットヘッド２０のノズル面２４をワイピングするワイパー３０、およびワイパー３０の洗浄を行う洗浄機構４０が設けられている。
【００２６】
より詳しくは、ワイパー３０は、主走査方向（図１、図２における左右方向）の一端部であって、インクジェットヘッド２０を待機させるための所定の待機位置に配設されている（図１、図２参照）。これによれば、インクジェットヘッド２０が印刷加工の間等の待機時間を利用して、ノズル面２４のワイピングを行うことができる。また、ワイピングに起因する意図しないインク滴下等で記録媒体Ｍを汚損してしまうことが防止できる。
【００２７】
ここで、本実施形態に係るワイパー３０および洗浄機構４０の構成例を図３の概略図（側面図）に示す。
【００２８】
ここで本実施形態に係るワイパー３０は、図３に示すように、複数（ここでは２つ）配設されており（３０Ａ、３０Ｂ）、それぞれが、支持部材３２によって支持されたブレード３４を備えて構成されている。一例として、ブレード３４における所定の面（ここでは相互に対向する面３４ｂ、３４ｃ）がノズル面２４のワイピングを行うワイピング面として用いられる。ただし、この構成に限定されるものではなく、ブレード３４における相互に対向しない面（３４ａ、３４ｄ）をワイピング面として用いる構成としてもよい。または、各ブレード３４の両側の面（３４ａ、３４ｂ、および３４ｃ、３４ｄ）をワイピング面として用いる構成としてもよい。
さらに、変形例として、一つのワイパー３０（例えば、３０Ａ）のみを備えて、ブレード３４の両側の面（例えば、３４ａ、３４ｂ）をワイピング面とする構成としてもよい。
【００２９】
ワイパー３０は、所定方向（ここでは、図３におけるＡ方向およびＢ方向）を往復移動可能なように移動機構３８に取り付けられて構成されている。一例として、ワイパー３０を移動させる移動機構３８は、いずれも図示しない駆動モータで駆動する駆動ローラと従動ローラに巻き回されたタイミングベルトを備えて構成されており、インクジェットヘッド２０のノズル面２４を清掃する位置、例えばインクジェットヘッド２０を走査するキャリッジ１４のホームポジションの近傍の所定の位置において、ワイパー３０をインクジェットヘッド２０のノズル面２４と一定間隔をおいて当該ノズル面２４に対向して移動させることができるように配置されている。なお、駆動モータは、例えばパルスモータからなり、相励磁を正／逆に切り換えてタイミングベルトを正回転／逆回転する。また、ワイパー３０の位置は例えば位置検出センサ（不図示）によって検出が行われる。
【００３０】
また、上記ワイパー３０は、いずれも図示しないワイパー駆動機構により上下動されるようになっている。なお、当該ワイパー駆動機構は、種々の従来技術を用いて構成することが可能なので、ここではその説明を省略する。
【００３１】
上記の構成によれば、インクジェットヘッド２０のノズル面２４にワイパー３０のブレード３４のワイピング面（一例として、Ａ方向に移動するときはワイピング面３４ｃ、Ｂ方向に移動するときはワイピング面３４ｂ）を当接させ、移動機構３８によってワイパー３０（すなわちブレード３４）を所定方向に移動させてワイピング（拭き取り）を行い、ノズル面２４に付着したインクを除去することができる（図４参照）。なお、具体的なワイピング動作については後述するが、ブレード３４の一回のワイピング動作は所定の一方向（図４における矢印方向）の摺動で行われる。
【００３２】
ここで、ブレード３４は、柔軟性があり且つ機械的にインクの除去が可能な強度があること、ノズル面２４の表面に傷をつけないこと、酸・アルカリ等の洗浄液に対して耐性を有すること、等の特性を満たす材料からなることが好ましく、例えば、ポリプロピレン等の樹脂材料、もしくはＥＰＤＭ等のゴム材料が用いられる。ただし、これらの材料に限定されるものではない。一例として、本実施形態に係るブレード３４は、ポリプロピレンを用いて略長方形の平板状に形成されており、先端部（上端辺）がノズル面２４と線接触する構成となっている。
【００３３】
次に、本実施形態に特徴的な洗浄機構４０について説明する。洗浄機構４０は、洗浄液によって湿潤させた状態でワイパー３０のワイピング面の拭取を行う拭取部材４２と、拭取部材４２に洗浄液Ｌを供給する洗浄液供給手段４４と、を備えて構成される。
【００３４】
本実施形態においては、洗浄機構４０は、ワイパー３０と一致させた位置、すなわち、主走査方向（図１、図２における左右方向）の一端部であって、インクジェットヘッド２０を待機させるための所定の待機位置に配設されていることが好ましい（図１、図２参照）。これによれば、インクジェットヘッド２０が印刷加工の間等の待機時間を利用して、ワイパー３０（ブレード３４）の洗浄を行うことができる。また、洗浄液やインクの滴下等で記録媒体Ｍを汚損してしまうことが防止できる。
【００３５】
ここで、洗浄機構４０の拭取部材４２は、例えば不織布を用いて構成されており、図３の側面図（概略図）に示すように、一端４２Ａが洗浄液供給手段４４から露出して配設され、他端４２Ｂが洗浄液供給手段４４を構成している貯留タンク４５に貯留された洗浄液Ｌの中に浸漬されている。これによれば、不織布における毛細管現象によって、拭取部材４２の一端４２Ａは常に洗浄液Ｌによって湿潤した状態に維持することができる。したがって、当該一端４２Ａにワイパー３０のワイピング面（一例として、ワイピング面３４ｂ、３４ｃ）を当接させることによって、当該ワイピング面を拭取部材４２に含浸した洗浄液Ｌによって洗浄を行うことが可能となる。より詳しくは、ワイパー３０のワイピング面に付着したインクが拭取部材４２により拭取が行われると共に、拭取部材４２の洗浄液中に溶出して、拭取部材４２中を拡散していく作用効果が得られる。これにより、当該ワイピング面の洗浄が行われる。
【００３６】
ここで、洗浄液は、使用されるインクの種類に応じて適宜選択すればよく、増粘化・固形化したインクを膨潤させて剥離する作用等を持つ液体が好適である。
【００３７】
一例として、インクが水性昇華転写インクの場合には、洗浄液Ｌとして、例えば、エチレングリコール等の多価アルコール類、エチレングリコールモノメチルエーテル等のグリコールエーテル類、イソプロピルアルコール等のアルコール類、Ｎ−メチル−２−ピロリドン、トリエタノールアミン等の塩基性溶媒等が用いられる。
【００３８】
また、インクがラテックスインクの場合には、洗浄液Ｌとして、例えば、水、あるいはグリコールエーテル類を主成分とする親水性溶媒等が用いられる。なお、エステル類、ラクトン溶剤等を併用してもよい。
【００３９】
また、インクがソルベントインクの場合には、洗浄液Ｌとして、例えば、水に対して非相溶性の有機溶剤が用いられる。このような有機溶剤の例としては、グリコールエーテル系又はグリコールエステル系化合物から選ばれる有機溶剤が用いられる。
【００４０】
また、インクがＵＶインクの場合には、洗浄液Ｌとして、例えば、ｎ−ヘキサン、イソパラフィン系炭化水素、シクロヘキサノン等のケトン類、トルエン、キシレン等の芳香族炭化水素類、ジプロピレングリコール、モノメチルエーテルアセテート等のエステル類等の揮発性有機溶剤を用いることができる。また、一種類に限らず複数の揮発性有機溶剤を混合して用いてもよい。
【００４１】
その他、インクの種類に応じて、適宜、公知の洗浄液を選択すればよい。
【００４２】
また、図３に示すように、拭取部材４２は、ワイパー３０（ここでは、二つのワイパー３０Ａ、３０Ｂ）において所定方向（ここでは、Ａ方向）を向くワイピング面（ここでは、ワイピング面３４ｃ）に当接する一の拭取部４２ａと、ワイパー３０（ここでは、二つのワイパー３０Ａ、３０Ｂ）において前記所定方向と逆方向（ここでは、Ｂ方向）を向くワイピング面（ここでは、ワイピング面３４ｂ）に当接する他の拭取部４２ｂとを一端４２Ａに有している。
【００４３】
ここで、前述の通り、ワイパー３０を所定方向（ここでは、Ａ方向およびＢ方向）に移動させる移動機構３８が設けられているため、図３に示すようにワイパー３０を所定方向（ここでは、Ａ方向およびＢ方向）に移動させて、ワイピング面（ここでは、３４ｂ、３４ｃ）を拭取部材４２に当接させることができる。したがって、拭取部材４２の拭取部４２ａ、４２ｂによって、ワイパー３０のワイピング面を摺動させることができるため、当該ワイピング面に付着したインクを拭取部材４２（拭取部４２ａ、４２ｂ）で拭い取るように除去しながら洗浄を行うことが可能となる。すなわち、ワイパー３０を溶剤で湿潤させるだけでは除去できないような増粘インク等も効果的に除去することが可能となる。なお、変形例として、ワイパー３０を移動させる移動機構３８を設ける構成に代えて、拭取部材４２を移動させる移動機構を設ける構成（不図示）としてもよく、その場合にも同様の作用効果が奏される。
【００４４】
上記構成によれば、ワイパー３０における複数のワイピング面（ここでは、３４ｂ、３４ｃ）を、複数の拭取部４２ａ、４２ｂのうちから各ワイピング面に対応（対向）する拭取部に当接させる構成によって、特許文献１に例示される従来の構成における課題、すなわち、同一の吸収部材の同一箇所によってワイパーのワイピング面のインクを除去する構成における課題として、特に、ワイパーの複数化等によってワイピング面が多くなるインクジェット記録装置においては、吸収部材によるインク吸収が追い付かなくなってしまう課題や、一旦、吸収部材に付着したインクが再度ワイパーに付着してしまう課題、さらには、吸収部材の内部にインクを拡散させる作用を得るには時間を要するため、その工程に必要となる時間（メンテナンス時間）が増大し、印刷のタクトタイムが大きくなってしまう等の課題の解決が可能となる。
【００４５】
このように、本実施形態によれば、複数のワイピング面（ここでは、３４ｂ、３４ｃ）に対応した複数の拭取部４２ａ、４２ｂを有する拭取部材４２を備えて、ワイパー３０のワイピング面（ここでは、３４ｂ、３４ｃ）の洗浄を行うことが可能となり、迅速且つ確実にワイピング面のインク除去ができると共に、当該ワイピング面（ここでは、３４ｂ、３４ｃ）へのインクの再付着を防止することができる。したがって、ワイパー３０のワイピング面（ここでは、３４ｂ、３４ｃ）に付着したインクが乾燥して増粘インク化してしまうことが防止できると共に、インクジェットヘッド２０のノズル面２４に付着した増粘インクやインク滴を効果的に除去することができるため、インクジェットヘッド２０のノズル２３の目詰まり、インクの混色、吐出時の飛行曲がり等を防止することができる。
【００４６】
さらに、各ワイピング面（ここでは、３４ｂ、３４ｃ）に対応した複数の拭取部４２ａ、４２ｂによって、当該ワイピング面（ここでは、３４ｂ、３４ｃ）の洗浄を行うため、洗浄時間、特に拭取部におけるインクの拭取および拭取を行ったインクの拭取部内部への拡散に要する時間を大幅に短縮することができるため、その工程に必要となる時間（メンテナンス時間）を短くすることができ、印刷のタクトタイムを小さくすることができるという顕著な効果が奏される。
【００４７】
続いて、以上の構成を備えるインクジェット記録装置１の動作について説明する。
【００４８】
先ず、印刷動作について説明する。
通常印刷時において、インクジェット記録装置１は、プラテン１０上に支持された記録媒体Ｍに対して、ヘッドユニット１８をガイドレール１２に沿って左右に往復移動させながら、ノズル２３から下方に向けてインクを吐出させて、所望のパターンで記録媒体Ｍに付着させて印刷を行う。記録媒体Ｍ上の所定前後幅に対する印刷が完了すると、ヘッドユニット１８を前後にスライド移動させ、再びヘッドユニット１８を左右に往復移動させながら、同様の工程を繰り返すことにより、記録媒体Ｍの印刷領域全体に所望の文字や図柄が印刷される。
【００４９】
次に、インクジェットヘッド２０のノズル面２４のワイピング動作について説明する。
前述のようにして、長時間連続してノズル２３からインクを吐出させて印刷を行った場合、インクジェットヘッド２０のノズル面２４（特にノズル２３の開口部周辺等）に吐出されたインクが付着することがあり、また、付着したインク同士が合体してインク滴が形成されることがある。さらにこのインク滴は、例えばゲル状の増粘インクとなってインクジェットヘッド２０のノズル面２４に付着する場合もある。このように、インクジェットヘッド２０のノズル面２４に、増粘インクやインク滴等が付着した状態のままで継続して印刷を行うと、インク滴が記録媒体Ｍに滴下して印刷品質を低下させてしまう虞がある。よって、印刷品質を確保するためには、インクジェットヘッド２０のノズル面２４を清潔に保つことが重要である。そこで、インクジェットヘッド２０のノズル面２４をメンテナンスして清潔に保つために、ワイパー３０が用いられる。なお、公知のキャッピングユニット（インク吸引手段）を併用してメンテナンスを行う構成としてもよいことは言うまでもない（不図示）。
【００５０】
上記メンテナンスは、例えばオペレータが、インクジェットヘッド２０のノズル面２４のメンテナンスが必要であると判断した場合、または、制御手段（不図示）が、前回のメンテナンスからの稼動時間（印刷時間）が所定稼動時間に達したと判断した場合等に開始される。
【００５１】
より具体的には、ヘッドユニット１８が、ガイドレール１２に沿って所定の待機位置へスライド移動される。この待機位置において、ワイパー３０をインクジェットヘッド２０のノズル面２４と当接させることが可能となる。
【００５２】
次いで、ワイパー３０を上下動させるワイパー駆動機構（不図示）が駆動されて、ワイパー３０のワイピング面がインクジェットヘッド２０のノズル面２４と当接可能な位置に上動される。一例として、ワイパー３０（３０Ａ、３０Ｂ）をＡ方向に移動させる際は、ワイパー３０Ｂを上動させて、ワイピング面（一例として、ワイピング面３４ｃ）がノズル面２４と当接できるようにする。一方、ワイパー３０（３０Ａ、３０Ｂ）をＢ方向に移動させる際は、ワイパー３０Ａを上動させて、ワイピング面（一例として、ワイピング面３４ｂ）がノズル面２４と当接できるようにする。
【００５３】
次いで、上動されたワイパー３０が、インクジェットヘッド２０のノズル面２４と当接した状態でスライド移動されることにより、インクジェットヘッド２０のノズル面２４がワイピングされる。ワイピングによって、ノズル２３の内部およびインクジェットヘッド２０のノズル面２４に、インク滴や増粘インク等が付着していない清潔な状態とすることができ、ノズル２３から真っ直ぐインクを吐出させて印刷を行うことが可能となり、高品質な印刷が可能となる。
【００５４】
次に、ワイパー３０のワイピング面の洗浄動作について説明する。
上記のワイピング動作が終了した後、移動機構３８が駆動されて、ワイパー３０のワイピング面（例えば、３４ｂ、３４ｃ）の洗浄が行われる。
【００５５】
より詳しくは、先ず、移動機構３８を駆動させて、ワイパー３０（ここでは、二つのワイパー３０Ａ、３０Ｂ）を所定方向（ここでは、Ａ方向）に移動させながら、所定方向（ここでは、Ａ方向）を向くワイピング面（一例として、ワイピング面３４ｃ）を拭取部材４２の拭取部４２ａに当接させる。次いで、移動機構３８を駆動させて、ワイパー３０（ここでは、二つのワイパー３０Ａ、３０Ｂ）を前記所定方向と逆方向（ここでは、Ｂ方向）に移動させながら、前記所定方向と逆方向（ここでは、Ｂ方向）を向くワイピング面（一例として、ワイピング面３４ｂ）を拭取部材４２の拭取部４２ａに当接させる。なお、ワイピング面３４ｂの当接を先に実施し、ワイピング面３４ｃの当接を後に実施してもよい。
【００５６】
上記構成によれば、拭取部材４２の拭取部４２ａ、４２ｂに対して、ワイパー３０のワイピング面（ここでは、３４ｂ、３４ｃ）を摺動させることができるため、当該ワイピング面に付着したインクを拭取部材４２（拭取部４２ａ、４２ｂ）で拭い取るように除去しながら洗浄を行うことが可能となる。すなわち、ワイパー３０を溶剤で湿潤させるだけでは除去できないような増粘インク等も効果的に除去することが可能となる。
【００５７】
したがって、特に、水性昇華転写インクに代表されるようにワイパー３０のワイピング面（ここでは、３４ｂ、３４ｃ）に付着したインクが乾燥し易いインクに対して、ワイピング面（ここでは、３４ｂ、３４ｃ）の上で当該インクが増粘インク化してしまう前に確実に洗浄して除去することが可能となる。したがって、そのようなインク（特に増粘インク）がワイピング面に残ることが原因となってノズル面のワイピング時にノズル２３に目詰まりを生じさせてしまうことを防止でき、インクの混色、吐出時の飛行曲がり等を防止して、高画質の記録を行うことができるという顕著な効果が得られることとなる。
【００５８】
なお、上記の構成は、ブレード３４における所定の面（ここでは相互に対向する面３４ｂ、３４ｃ）がノズル面２４のワイピングを行うワイピング面として用いられる場合を例に挙げて説明したものであるが、この構成に限定されるものではない。すなわち、ブレード３４における相互に対向しない面（３４ａ、３４ｄ）をワイピング面として用いる構成の場合、あるいは、各ブレード３４の両側の面（３４ａ、３４ｂ、および３４ｃ、３４ｄ）をワイピング面として用いる構成の場合においても、同様に実施すればよい。
【００５９】
また、ワイパー３０のワイピング面の洗浄動作は、一回の実施に限定されるものではなく、インクジェットヘッドのノズル面の汚れの状況等に応じて、複数回の実施を行うようにしてもよい。
【００６０】
（第二の実施形態）
続いて、本発明の第二の実施形態に係るインクジェット記録装置１について説明する。本実施形態に係るインクジェット記録装置１は、特に洗浄機構４０において前述の第一の実施形態とは相違する特徴点を有しており、以下、その点を中心に詳しく説明する。なお、前述の実施形態と同様の構成・作用効果については繰り返しの説明を省略する場合がある。
【００６１】
図５は、本実施形態に係るインクジェット記録装置１のワイパー３０および洗浄機構４０の構成例を示す概略図である。ここで、図５（ａ）は正面図であり、図５（ｂ）は側面図（図５（ａ）におけるＡ−Ａ線断面図）である。
【００６２】
図５に示すように、本実施形態に係る洗浄機構４０は、軸５２を中心として回転可能なローラ部材（第１ローラ部材５４）の外周面に固定された円筒状に形成された拭取部材４２を備えている。この構成によれば、第１ローラ部材５４に対して簡易に取り付けることができるため、拭取部材４２の交換作業がきわめて容易になる。なお、拭取部材４２は、前述の第一の実施形態と同様に、一例として不織布を用いて構成されており、洗浄液供給手段４４から供給される洗浄液Ｌによって湿潤した状態に維持することができる。
【００６３】
本実施形態に係る拭取部材４２は円筒状であるため、図５（ｂ）に示すように、ワイパー３０（ここでは、二つのワイパー３０Ａ、３０Ｂ）において所定方向（ここでは、Ａ方向）を向くワイピング面（ここでは、ワイピング面３４ｃ）に当接する一の拭取部４２ａは、円筒状の拭取部材４２の前方側下半部に設けられる。一方、ワイパー３０（ここでは、二つのワイパー３０Ａ、３０Ｂ）において前記所定方向と逆方向（ここでは、Ｂ方向）を向くワイピング面（ここでは、ワイピング面３４ｂ）に当接する他の拭取部４２ｂは、円筒状の拭取部材４２の後方側下半部に設けられる。
【００６４】
また、本実施形態に係る洗浄液供給手段４４は、図５（ａ）に示すように、円筒状の拭取部材４２に対して、その左右方向における二箇所に設けられている。すなわち、当該二箇所から拭取部材４２に洗浄液Ｌを供給する構成となっているため、拭取部材４２に対して洗浄液Ｌを安定的に供給して、左右方向において均一な湿潤状態を維持することが可能となる。なお、変形例として、左右いずれか一箇所に洗浄液供給手段４４を設ける構成としてもよい（不図示）。
【００６５】
ここで、洗浄液供給手段４４は、軸６２を中心として回転可能な円柱状もしくは円筒状のローラ部材（第２ローラ部材６４）を有している。当該第２ローラ部材６４は、外周面に洗浄液Ｌを保持可能な溝部６６を有している。また、第２ローラ部材６４は、下部が貯留タンク４５に貯留された洗浄液Ｌの中に浸漬されて配設されると共に、外周面が拭取部材４２の外周面と当接可能で且つ当接しながら供回り可能なように配設されている。この構成によれば、円筒状の拭取部材４２もしくは第２ローラ部材６４のいずれか一方を回転駆動することによって、両者を同時回転させることができる。このとき、両者の回転によって、第２ローラ部材６４の外周面の溝部６６に洗浄液Ｌが保持されて、両者の当接時に当該溝部６６から拭取部材４２へ洗浄液Ｌが供給される作用が得られる。
【００６６】
ここで、前述の第一の実施形態と同様に、ワイパー３０を所定方向（ここでは、Ａ方向およびＢ方向）に移動させる移動機構３８が設けられているため、図５（ｂ）に示すようにワイパー３０を所定方向（ここでは、Ａ方向およびＢ方向）に移動させて、ワイピング面（ここでは、３４ｂ、３４ｃ）を拭取部材４２に当接させることができる。したがって、洗浄液Ｌによって湿潤した状態の拭取部材４２の拭取部４２ａ、４２ｂに対して、ワイパー３０のワイピング面（ここでは、３４ｂ、３４ｃ）を摺動させることができるため、当該ワイピング面（ここでは、３４ｂ、３４ｃ）に付着したインクを拭取部材４２（拭取部４２ａ、４２ｂ）で拭い取るように除去しながら洗浄を行うことが可能となる。
【００６７】
なお、本実施形態においては、制御手段（不図示）によって、所定回数もしくは所定時間の洗浄が行われた時点で、拭取部材４２を予め設定された所定量だけ移動させて（すなわち軸５２を中心に第１ローラ部材５４を回転させて）、拭取部４２ａ、４２ｂの位置を変更する制御が行われる。この構成によれば、例えば、特許文献１の構成に例示されるような同一部材の同一箇所によってワイパーのワイピング面のインクを除去する構成の場合には、摩耗が激しく、拭取部材の寿命が短くなってしまうという課題があったが、当該課題の解決を図ることが可能となる。すなわち、拭取部材４２の摩耗量を低減して寿命を長くすることができ、交換周期を長くすることができるため、交換作業の手間が軽減されると共に、部品コストの低減を図ることができる。
【００６８】
（第三の実施形態）
続いて、本発明の第三の実施形態に係るインクジェット記録装置１について説明する。本実施形態に係るインクジェット記録装置１は、特に洗浄機構４０において前述の第二の実施形態とは相違する特徴点を有しており、以下、その点を中心に詳しく説明する。なお、前述の実施形態と同様の構成・作用効果については繰り返しの説明を省略する場合がある。
【００６９】
図６は、本実施形態に係るインクジェット記録装置１のワイパー３０および洗浄機構４０の構成例を示す概略図である。ここで、図６（ａ）は正面図であり、図６（ｂ）は側面図（図６（ａ）におけるＢ−Ｂ線断面図）である。
【００７０】
本実施形態に係る洗浄機構４０は、図６（ａ）に示すように、前述の第二の実施形態と同様の円筒状の拭取部材４２に対して、その右方向における一箇所に洗浄液供給手段４４が設けられる構成となっている。これによれば、装置の簡素化および小型化を図ることが可能となる。なお、変形例として、左方向における一箇所に洗浄液供給手段４４を設ける構成としてもよい（不図示）。
【００７１】
ここで、洗浄液供給手段４４は、軸６２を中心として回転可能な円柱状もしくは円筒状のローラ部材（第２ローラ部材６４）を有している。当該第２ローラ部材６４は、外周面に洗浄液Ｌを保持可能な溝部６６を有している。また、第２ローラ部材６４は、下部が貯留タンク４５に貯留された洗浄液Ｌの中に浸漬されて配設されると共に、外周面が拭取部材４２の外周面と当接可能で且つ当接しながら供回り可能なように配設されている。
【００７２】
本実施形態においては、第２ローラ部材６４の溝部６６が、外周面の周方向に対して所定角度傾けた螺旋状に形成されている。これによれば、右方向における一箇所に洗浄液供給手段４４の貯留タンク４５が設けられる構成であっても、拭取部材４２の左方向の端部まで十分に洗浄液Ｌを供給することが可能となる。
【００７３】
（第四の実施形態）
続いて、本発明の第四の実施形態に係るインクジェット記録装置１について説明する。本実施形態に係るインクジェット記録装置１は、特に洗浄機構４０において前述の実施形態とは相違する特徴点を有しており、以下、その点を中心に詳しく説明する。なお、前述の実施形態と同様の構成・作用効果については繰り返しの説明を省略する場合がある。
【００７４】
図７は、本実施形態に係るインクジェット記録装置１のワイパー３０および洗浄機構４０の構成例を示す概略図である。ここで、図７（ａ）は正面図であり、図５（ｂ）は側面図（図７（ａ）におけるＣ−Ｃ線断面図）である。
【００７５】
図７に示すように、本実施形態に係る洗浄機構４０は、繰り出しローラ７２から繰り出されて、巻き取りローラ７４に巻き取られるシート状に形成された拭取部材４２を備えている。また、図中の符号７６は、拭取部材４２を所定位置に支持しつつ、当該拭取部材４２の移動時には摺動させる作用を成すプラテン（第２プラテン）である。なお、当該拭取部材４２は、前述の第一の実施形態と同様に、一例として不織布を用いて構成されており、洗浄液供給手段４４から供給される洗浄液Ｌによって湿潤した状態に維持することができる。
【００７６】
この構成によれば、巻き取りローラ７４によって、シート状の拭取部材４２を、逐次、巻き取りを行うことによって、拭取部４２ａ、４２ｂの位置を変更することができる。また、前述の第二、第三の実施形態と同様に、制御手段によって、所定回数もしくは所定時間の洗浄が行われた時点で、拭取部材４２を予め設定された所定量だけ移動させて（すなわち巻き取りローラ７４による巻き取りを行って）、拭取部４２ａ、４２ｂの位置を変更する制御が行われる。
【００７７】
したがって、同一部材の同一箇所によってワイパーのワイピング面のインクを除去する構成と比較して、拭取部材４２の摩耗量を低減して寿命を長くすることができる。また、長尺のシート状部材を用いることにより長期に渡って拭取部材４２による拭取効果を持続させることが可能となるため、拭取部材４２の交換周期を大幅に長くすることが可能となり、交換作業の手間が大幅に軽減される効果が得らえる。
【００７８】
なお、本実施形態に係る拭取部材４２はシート状であるため、図７（ｂ）に示すように、ワイパー３０（ここでは、二つのワイパー３０Ａ、３０Ｂ）において所定方向（ここでは、Ａ方向）を向くワイピング面（ここでは、ワイピング面３４ｃ）に当接する一の拭取部４２ａは、プラテン７６によって所定位置に支持されたシート状の拭取部材４２の前方側下半部に設けられる。一方、ワイパー３０（ここでは、二つのワイパー３０Ａ、３０Ｂ）において前記所定方向と逆方向（ここでは、Ｂ方向）を向くワイピング面（ここでは、ワイピング面３４ｂ）に当接する他の拭取部４２ｂは、プラテン７６によって所定位置に支持されたシート状の拭取部材４２の後方側下半部に設けられる。
【００７９】
本実施形態に係る洗浄機構４０は、図７（ａ）に示すように、シート状の拭取部材４２に対して、その左右方向に沿って洗浄液供給手段４４が設けられる構成となっている。これによれば、拭取部材４２に対して洗浄液Ｌを安定的に供給して、左右方向において均一な湿潤状態を維持することが可能となる。なお、変形例として、前述の第二、第三の実施形態と同様の構成としてもよい。
【００８０】
また、前述の第二、第三の実施形態と同様に、洗浄液供給手段４４は、軸６２を中心として回転可能な円柱状もしくは円筒状のローラ部材（第２ローラ部材６４）を有している。当該第２ローラ部材６４は、外周面に洗浄液Ｌを保持可能な溝部６６を有している。また、第２ローラ部材６４は、下部が貯留タンク４５に貯留された洗浄液Ｌの中に浸漬されて配設されると共に、外周面が拭取部材４２の外周面と当接可能で且つ当接しながら供回り可能なように配設されている。
【００８１】
なお、本実施形態の変形例として、図８の平面図（概略図）に示すように、相互に対向するプラテン７６の支持面７６ａ、７６ｂと、ワイパー３０のワイピング面３４ｂ、３４ｃとが所定の角度θを成して配設される構成としてもよい。この構成によれば、プラテン７６の支持面７６ａ、７６ｂによって支持される拭取部材４２の拭取部４２ａ、４２ｂを、ワイパー３０のワイピング面３４ｂ、３４ｃに対して角度を成した状態で設置することができる。したがって、ワイピング面３４ｂ、３４ｃが拭取部４２ａ、４２ｂに当接する際に、ワイピング面３４ｂ、３４ｃの右端部から左端部にかけて（あるいはその逆に）順次、当接する作用が得られ、その結果、当該ワイピング面３４ｂ、３４ｃに付着したインクを拭取部材４２（拭取部４２ａ、４２ｂ）で拭い取るように除去しながら洗浄する効果をより一層、高めることが可能となる。
【００８２】
以上説明した通り、開示のインクジェット記録装置１によれば、短いメンテナンス時間で迅速且つ確実にワイピング面のインク除去が可能となり、また、当該ワイピング面へのインクの再付着を防止することが可能となる。これにより、インクジェットヘッド２０のノズル２３の目詰まり、インクの混色、吐出時の飛行曲がり等を防止して、高画質の記録が可能となる。
【００８３】
また、特に、本実施形態によって以下の特徴的な作用効果が奏される。
【００８４】
開示のインクジェット記録装置１は、インクの液滴をノズル２３から吐出して記録を行うインクジェットヘッド２０を備えるインクジェット記録装置において、前記インクジェットヘッド２０のノズル面２４のワイピングを行う一つもしくは複数のワイパー３０と、前記ワイパー３０の洗浄を行う洗浄機構４０と、を備え、前記洗浄機構４０は、洗浄液Ｌによって湿潤させた状態で前記ワイパー３０のワイピング面（一例として、３４ｂ、３４ｃ等）の拭取を行う拭取部材４２と、該拭取部材４２に該洗浄液Ｌを供給する洗浄液供給手段４４と、を有し、前記拭取部材４２は、前記一つもしくは複数のワイパー３０において所定方向（一例として、矢印Ａ方向）を向くワイピング面（一例として、３４ｃ等）に当接する一の拭取部４２ａと、前記一つもしくは複数のワイパー３０において前記所定方向と逆方向（一例として、矢印Ｂ向）を向くワイピング面（一例として、３４ｂ等）に当接する他の拭取部４２ｂとを有し、前記拭取部材４２もしくは前記ワイパー３０を移動させて前記当接を行わせる移動機構３８をさらに備えることを特徴とする。これによれば、複数のワイピング面（一例として、３４ｂ、３４ｃ等）に対応した複数の拭取部４２ａ、４２ｂを有する拭取部材４２を備えて、ワイパー３０のワイピング面（一例として、３４ｂ、３４ｃ等）の洗浄を行うことが可能となり、迅速且つ確実にワイピング面のインク除去ができると共に、当該ワイピング面（一例として、３４ｂ、３４ｃ等）へのインクの再付着を防止することができる。したがって、ワイパー３０のワイピング面（一例として、３４ｂ、３４ｃ等）に付着したインクが乾燥して増粘インク化してしまうことが防止できるため、インクジェットヘッド２０のノズル面２４に付着した増粘インクやインク滴を効果的に除去することができる、インクジェットヘッド２０のノズル２３の目詰まり、インクの混色、吐出時の飛行曲がり等を防止することができる。さらに、各ワイピング面（一例として、３４ｂ、３４ｃ等）に対応した複数の拭取部４２ａ、４２ｂによって、当該ワイピング面（一例として、３４ｂ、３４ｃ等）の洗浄を行うため、洗浄時間、特に拭取部４２ａ、４２ｂにおけるインクの拭取および拭取を行ったインクの拭取部内部への拡散に要する時間を大幅に短縮することができるため、その工程に必要となる時間（メンテナンス時間）を短くすることができ、印刷のタクトタイムを小さくすることができるという顕著な効果が奏される。
【００８５】
また、本発明において、拭取部材４２は、第１ローラ部材５４の外周面に固定された円筒状に形成されていることが好ましい。これによれば、第１ローラ部材５４に対して簡易な取付構造が実現でき、拭取部材４２の交換作業を容易化することができる。また、第１ローラ部材５４を移動（回転）させることにより、拭取部４２ａ、４２ｂの位置を変更できるため、同一部材の同一箇所によってワイパーのワイピング面のインクを除去する構成と比較して、拭取部材４２の摩耗量を低減して寿命を長くすることができ、交換周期を長くすることができる。
【００８６】
また、本発明において、前記拭取部材４２は、繰り出しローラ７２から繰り出されて、巻き取りローラ７４に巻き取られるシート状に形成されていることが好ましい。これによれば、同一部材の同一箇所によってワイパーのワイピング面のインクを除去する構成と比較して、拭取部材４２の摩耗量を低減して寿命を長くすることができる。また、長尺のシート状部材を用いることにより長期に渡って拭取部材４２による拭取効果を持続させることが可能となるため、拭取部材４２の交換周期を大幅に長くすることが可能となり、交換作業の手間が大幅に軽減される効果が得られる。
【００８７】
また、本発明において、前記拭取部材４２を所定位置に支持するプラテン７６を備え、相互に対向する前記プラテン７６の支持面と、前記ワイパー３０のワイピング面（一例として、３４ｂ、３４ｃ等）とが所定の角度を成して配設されていることが好ましい。これによれば、拭取部材４２の拭取部を、ワイパーのワイピング面（一例として、３４ｂ、３４ｃ等）に対して角度を成した状態で設置することができる。したがって、ワイピング面（一例として、３４ｂ、３４ｃ等）が拭取部４２ａ、４２ｂに当接する際に、ワイピング面（一例として、３４ｂ、３４ｃ等）の右端部から左端部にかけて（あるいはその逆に）順次、当接する作用が得られ、その結果、当該ワイピング面（一例として、３４ｂ、３４ｃ等）に付着したインクを拭取部４２ａ、４２ｂで拭い取るように除去しながら洗浄する効果をより一層、高めることが可能となる。
【００８８】
また、本発明において、前記洗浄液供給手段４４は、円柱状もしくは円筒状の第２ローラ部材６４を有し、前記第２ローラ部材６４は、外周面に前記洗浄液Ｌを保持可能な溝部６６を有すると共に、外周面が前記拭取部材４２と当接可能なように配設されていることが好ましい。これによれば、円筒状もしくはシート状の拭取部材４２、または第２ローラ部材６４のいずれか一方を回転駆動することによって、両者（拭取部材４２および第２ローラ部材６４）を同時回転させることができるため、両者（拭取部材４２および第２ローラ部材６４）の回転によって、第２ローラ部材６４の外周面の溝部６６に洗浄液Ｌが保持されて、両者（拭取部材４２および第２ローラ部材６４）の当接時に当該溝部６６から拭取部材４２へ洗浄液Ｌが供給される構造が実現できる。
【００８９】
また、本発明において、所定回数もしくは所定時間の洗浄が行われた時点で、前記拭取部材４２を移動させて前記拭取部４２ａ、４２ｂの位置を変更する制御手段を備えることが好ましい。これによれば、拭取部４２ａ、４２ｂの位置を所定のタイミングで変更することができるため、拭取部材４２の同一箇所のみが摩耗してしまうことを防止することができる。したがって、拭取部材４２の寿命を長くすることができ、交換周期を長くすることができる。
【００９０】
なお、本発明は、以上説明した実施形態に限定されることなく、本発明を逸脱しない範囲において種々変更可能であることは言うまでもない。特に、使用されるインクとして水性昇華転写インクを例に挙げて説明したが、これに限定されるものではなく、その他のインクが使用される場合にも適用が可能である。
【符号の説明】
【００９１】
１  インクジェット記録装置
１０  プラテン（第１プラテン）
１２  ガイドレール
１４  キャリッジ
１８  ヘッドユニット
２０  インクジェットヘッド
２３  ノズル
２４  ノズル面
３０、３０Ａ、３０Ｂ  ワイパー
３２  支持部材
３４  ブレード
３４ａ、３４ｂ、３４ｃ、３４ｄ  ワイピング面の例
３８  移動機構
４０  洗浄機構
４２  拭取部材
４２ａ、４２ｂ  拭取部
４４  洗浄液供給手段
４５  貯留タンク
６４  第２ローラ部材
６６  溝部
７２  繰り出しローラ
７４  巻き取りローラ
７６  プラテン（第２プラテン）
Ｌ  洗浄液
Ｍ  記録媒体
【図１】
2015085618.tif 000003
【図２】
2015085618.tif 000004
【図３】
2015085618.tif 000005
【図４】
2015085618.tif 000006
【図５】
2015085618.tif 000007
【図６】
2015085618.tif 000008
【図７】
2015085618.tif 000009
【図８】
2015085618.tif 000010